(57)【要約】【課題】スマートフォン等の多機能型携帯端末におけるアプリを利用したカメラ遊びが盛んになるにつれて、より遊び心をそそる地方色を有するアプリの開発が求められている。【解決手段】ＧＰＳ機能とカメラ機能を有する携帯端末と、携帯端末とネットワークを介して接続された合成用画像管理サーバとで構成され、携帯端末側のアプリの実行により、ＧＰＳ機能の実行により取得された位置情報を合成用画像管理サーバに提供して、位置情報に関連した合成用画像を要求し、取得した合成用画像と、カメラ機能の実行により取得された撮影画像とから合成画像を形成する。サーバから撮影位置に関連した画像を入手できるので、地方色の豊かな合成画像（静止画・動画）を手軽に作成できる。【選択図】  図５
2016225818.tif 000002
【特許請求の範囲】
【請求項１】
ＧＰＳ機能とカメラ機能を有する携帯端末と、前記携帯端末とネットワークを介して接続された合成用画像管理サーバとで構成され、
前記携帯端末は、
ＧＰＳ機能の実行により取得された位置情報を前記合成用画像管理サーバに提供して、前記位置情報に関連した合成用画像を要求する画像要求手段と、
取得した合成用画像と、前記カメラ機能の実行により取得された撮影画像とから合成画像を形成する合成画像形成手段とを備え、
前記合成用画像管理サーバは、
前記位置情報を抽出キーとして適当な合成用画像を抽出し、前記携帯端末側に提供する合成用画像提供手段を備え、
地方色が出た合成画像を作成することを特徴とする、合成画像作成システム。
【請求項２】
請求項１に記載した合成画像作成システムにおいて、
合成用画像はカメラの撮影場所に関連したデジタル写真レイヤー画像であることを特徴とする合成画像作成システム。
【請求項３】
請求項１または２に記載した合成画像作成システムにおいて、
携帯端末は、撮影前画像を合成用画像と合成して画面表示する画面表示手段を備えることを特徴とする合成画像作成システム。
【請求項４】
請求項１から３のいずれかに記載した合成画像作成システムにおいて、
携帯端末は、専用アプリを実行することで各種手段が構築されることを特徴とする合成画像作成システム。
【発明の詳細な説明】
【技術分野】
【０００１】
本発明は、携帯端末のカメラ機能を利用した合成画像作成システムに関するものである。
【背景技術】
【０００２】
最近のスマートフォン、タブレット等の多機能型携帯端末にはカメラ機能が標準装備されており、しかもこのカメラ機能の性能が年々向上していることから、従来よりも撮影することが手軽になっている。
そのような状況の下、アプリを利用したカメラ遊び、例えば、写真をデコレーションしたりする等が提案されており、スマートフォンの遊び道具の一種としての利用が確立されつつある。
【先行技術文献】
【特許文献】
【０００３】
【特許文献１】特開２０１１−５５０３９号公報
【発明の概要】
【発明が解決しようとする課題】
【０００４】
特許文献１では、撮影画像に対する落書き編集処理が開示されており、このような処理をショッピングセンター等に設置する写真シール作成装置に適用することが提案されている。
上記と同様な処理も、携帯端末内のアプリを利用することにより、現在では、程度の差はあるにせよ可能となっている。
このように、カメラ遊びが盛んになるにつれて、より遊び心をそそる趣味性の高いアプリの開発が求められている。
【０００５】
本発明は上記従来の問題に着目して為されたものであり、観光地等に行ったときにも撮影用の看板等をわざわざ探さずとも、思い付いたときに撮影場所と関連した地方色を有する合成用画像に自らが撮影した画像とを合成して遊び心の有る合成画像、例えば写真を作成することができる、新規且つ有用な合成画像作成システムを提供することを、その目的とする。
【課題を解決するための手段】
【０００６】
本発明は上記課題を解決するためになされたものであり、請求項１の発明は、ＧＰＳ機能とカメラ機能を有する携帯端末と、前記携帯端末とネットワークを介して接続された合成用画像管理サーバとで構成され、前記携帯端末は、ＧＰＳ機能の実行により取得された位置情報を前記合成用画像管理サーバに提供して、前記位置情報に関連した合成用画像を要求する画像要求手段と、取得した合成用画像と、前記カメラ機能の実行により取得された撮影画像とから合成画像を形成する合成画像形成手段とを備え、前記合成用画像管理サーバは、前記位置情報を抽出キーとして適当な合成用画像を抽出し、前記携帯端末側に提供する合成用画像提供手段を備え、地方色が出た合成画像を作成することを特徴とする、合成画像作成システムである。
【０００７】
請求項２の発明は、請求項１に記載した合成画像作成システムにおいて、合成用画像はカメラの撮影場所に関連したデジタル写真レイヤー画像であることを特徴とする合成画像作成システムである。
【０００８】
請求項３の発明は、請求項１または２に記載した合成画像作成システムにおいて、携帯端末は、撮影前画像を合成用画像と合成して画面表示する画面表示手段を備えることを特徴とする合成画像作成システムである。
【０００９】
請求項４の発明は、請求項１から３のいずれかに記載した合成画像作成システムにおいて、携帯端末は、専用アプリを実行することで各種手段が構築されることを特徴とする合成画像作成システムである。
【発明の効果】
【００１０】
本発明の合成画像作成システムによれば、携帯端末の簡単な操作により、撮影場所と関連した地方色が出た、遊び心の有る静止画、すなわち写真や動画を手軽に作成できる。
【図面の簡単な説明】
【００１１】
【図１】本発明の実施の形態に係る合成画像作成システムの全体のイメージ的構成図である。
【図２】図１のシステムにおけるスマートフォン側の論理構成図である。
【図３】図１のシステムにおけるサーバ側の論理構成図である。
【図４】図１のシステムを利用した合成写真の作成手順のフローチャートである。
【図５】図４で関連する画像データベース（ＤＢ）の構成図である。
【図６】図４で関連するライブビュー画面の説明図である。
【発明を実施するための形態】
【００１２】
本発明の実施の形態に係る合成画像作成システム１について、図面にしたがって説明する。
本システム１では、多機能型携帯端末の代表例であるスマートフォン３を利用しており、このスマートフォン３は、インターネットを介して、合成用画像管理サーバ２５と接続されている。
この本システム１は、静止画、すなわち写真を作成する際に利用する合成写真の作成システムになっている。
【００１３】
スマートフォン３には、中心となる制御機能（ＣＰＵ、メモリを利用）の他に、周辺機能として、通信機能と、表示兼操作機能（液晶パネルを利用）と、ＧＰＳ機能と、カメラ機能とが標準装備されており、各周辺機能は制御機能の制御下により動作する。
スマートフォン３には、専用アプリがダウンロードされ記憶されており、この専用アプリの実行処理により、上記した機能が利用されて、図２に示すように、以下の各種手段が構築されている。
【００１４】
合成用画像要求手段５は、ＧＰＳ機能の実行により取得された位置情報を、通信機能の利用により合成用画像管理サーバ２５に提供して、位置情報に関連した合成用画像を要求するものである。
そのなかで、位置特定手段７は、ＧＰＳ機能の利用により、実時間でＧＰＳ衛星から受信された現在位置情報（緯度経度）を現在位置として特定する。
位置報知手段９は、上記した現在位置情報を、通信機能の利用により、インターネットを介して、合成用画像管理サーバ２５に提供する。
【００１５】
合成用画像形成手段１１は、合成用画像管理サーバ２５側から取得した合成用画像と、カメラ機能の実行により取得した撮影画像との合成画像を形成するものである。
そのなかで、抽出画像受取り手段１３は、通信機能の利用により、インターネットを介して、合成用画像管理サーバ２５から、合成用画像、本システム１の場合には、デジタル写真レイヤー画像を受取る。
【００１６】
画面表示手段１５は、撮影前画像とデジタル写真レイヤー画像とを合成したライブビュー画面を表示する。デジタル写真レイヤー画像には、撮影画像の挿入領域が設けられており、その挿入領域に撮影前画像を挿入して表示する。
従って、撮影者は、最終的に作成する画像のイメージを把握することができるようになっており、撮影者が表示画面を見ながら、被写体、通常は人物とデジタル写真レイヤー画像との位置合わせをすることになる。標準装備のカメラ機能をそのまま利用できるので、被写体を拡大したり縮小したり等、位置関係だけでなく、大きさでもデジタル写真レイヤー画像とのバランスを調整できる。
【００１７】
撮影画像受取り手段１７は、カメラ機能側に干渉して、カメラ機能の動作により取得された画像を取得するもので、ライブビュー画面用の撮影前画像（Ａ）を受取る場合と、撮影者がシャッターボタンを押したときの撮影画像（Ｂ）を受取る場合が含まれる。
画像合成手段１９は、撮影画像とデジタル写真レイヤー画像とを合成して合成画像を作成する。この合成画像はシャッターボタンを押した際のライブビュー画面に対応したものとなっている。
保存手段２１は、上記で作成した合成画像をスマートフォン３内の画像保存フォルダ２３（図４）に保存する。
【００１８】
合成用画像管理サーバ２５は、制御機能（ＣＰＵ、メモリを利用）と通信機能とが備えられている。
図３に示すように、合成用画像管理サーバ２５にも、専用ソフトウエアが記憶されており、専用ソフトウエアの実行処理により、上記した機能が利用されて合成用画像提供手段２７が構築されるようになっている。
【００１９】
合成用画像提供手段２７は、各手段とデータベースに分けられる。
要求受付手段２９は、通信機能の実行により、スマートフォン３側からのインターネットを介した要求を受付けるものであり、スマートフォン３側の合成用画像要求手段５に対応している。この要求に含まれる現在位置情報を抽出キー（撮影位置）として受付ける。
画像データベース（ＤＢ）３１には、各種のデジタル写真レイヤー画像が登録されているが、各デジタル写真レイヤー画像には登録位置（緯度経度）が関連付けられている。一つの登録位置で一つのデジタル写真レイヤー画像が登録されている。
【００２０】
画像抽出手段３３は、抽出キー（撮影位置）を利用して、撮影位置から有効距離範囲内にある登録位置を有する画像を画像データベース（ＤＢ）３１から抽出する。該当する画像が複数有る場合には、最短距離のものを抽出する。その際の距離の算出には、例えば、ヒュベニの公式を利用する。
抽出画像送付手段３５は、通信機能の実行により、抽出した合成用画像をスマートフォン３側に送付する。
【００２１】
図４は、撮影手順に従ってスマートフォン３と合成用画像管理サーバ２５の動作を示す。
この動作により、合成画像が作成される。
先ず、撮影者が、スマートフォン３側の専用アプリを起動させると、その専用アプリが処理を実行し、位置特定手段７の動作により起動した時点での位置を撮影位置として特定し、その特定した位置を位置報知手段９の動作により合成用画像管理サーバ２５にインターネットを介して報知する。  
【００２２】
合成用画像管理サーバ２５側は、上記の報知をトリガーとして処理を実行する。要求受付手段２９の動作により画像要求を受付け、画像抽出手段３３の動作により画像データベース（ＤＢ）３１から撮影位置を示す地方色の豊かなイラスト画像を抽出する。  例えば、図５に示すように、画像データベース（ＤＢ）３１に、富士山のイラストを示す画像が２種類登録されており、一方は静岡県（海）側から見えるもの、他方は山梨県（富士五湖）側から見えるものになっており、それぞれの登録位置が、静岡県側、山梨県側に分かれているものを例として利用すると、撮影者が立っている地点、すなわち撮影位置によって、上記した二つの画像のうちの一つが抽出されることになる。
そして、抽出した画像を、抽出画像送付手段３５の動作によりスマートフォン３側にインターネットを介して送付して、処理を終了する。
【００２３】
スマートフォン３側は、抽出した画像を抽出画像受取り手段１３の動作により受け取って一時保存メモリ３７に保存する。
並行して、専用アプリの起動をトリガーとして自動的にカメラが起動するので、カメラ機能が働いており、このカメラ機能側の動作により作成した撮影前画像を、専用アプリ側が撮影前画像受取り手段１７Ａの動作により受け取って、抽出した画像（デジタル写真レイヤー画像）と合成してライブビュー画面を表示する。
図６に示すように、デジタル写真レイヤー画像の挿入領域に撮影前画像を挿入して画面表示しており、スマートフォン３の構える位置を動かすことで、デジタル写真レイヤー画像に対して被写体（人物）の位置合わせをすることができる。
【００２４】
その後に、撮影者がシャッターボタンを押すと、押したときの撮影画像を、専用アプリ側が撮影画像受取り手段１７Ｂの動作により専用アプリ側が受取る。
そして、画像合成手段１９の動作により、撮影画像とデジタル写真レイヤー画像とを合成して合成画像を作成する。この合成画像は、図６の位置合わせ後の表示画面に合致している。
作成した合成画像は、保存手段２１の動作により、スマートフォン内の画像保存フォルダ２３に保存して全ての処理を終了する。
【００２５】
なお、画像データベース（ＤＢ）３１に該当する有効距離範囲内の画像が無い場合には、スマートフォン３側に画像を送付しないので、画面表示手段１５は、通常のカメラ機能のみを利用したライブビュー画面を表示する。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、合成用画像管理サーバ２５側が複数の画像を抽出して送付し、撮影者側に選択させる構成にすることも考えられる。
また、上記の実施の形態では、写真（静止画）を対象としているが、動画に対して合成させてもよい。その場合には、シャッターの押下中動画撮影されるように設定することが考えられる。
【００２７】
上記の実施の形態では、画像データベース（ＤＢ）３１には、静岡県（海）側から見える富士山のイラスト画像と、山梨県（富士五湖）側から見える富士山のイラスト画像が対比されており、これらの画像の登録位置どうしの間にはかなりの距離があるが、標準装備されているＧＰＳ機能もある程度高精度化していることから、画像データベース（ＤＢ）３１を充実させ、散策しながら途中の複数箇所で撮影して、その箇所毎に異なる合成写真を作成できるように構成することも考えられる。
【００２８】
合成用画像の種類としては、上記の実施の形態のように、自然を模したイラストだけでなく、企業のロゴマーク、美術館等の施設、ゆるキャラ等が考えられる。
さらに、サッカースタジアムで撮影したときに、そこをホームとするサッカーチームの所属選手やユニフォーム等のイラストや写真を合成用画像として利用できるようにすることも、面白い試みになると考えられる。
【産業上の利用可能性】
【００２９】
本発明の合成画像作成システムは、市販の携帯端末を利用して簡単に構築することができる。
【符号の説明】
【００３０】
１‥‥合成画像作成システム
３‥‥スマートフォン              ２５‥‥合成用画像管理用サーバ
【図１】
2016225818.tif 000003
【図２】
2016225818.tif 000004
【図３】
2016225818.tif 000005
【図４】
2016225818.tif 000006
【図５】
2016225818.tif 000007
【図６】
2016225818.tif 000008